(57)【要約】【課題】流量調整用ダンパ装置において，ダンパ羽根の開度調整位置の設定を容易にし且つその調整位置を確実に固定でき，しかも開度調整手段の構造を簡単且つ小型化でき，コスト節減を図ると共に，ダンパ本体周りの限られたスペース内でも組付，調整等のための作業空間を十分に確保可能とする。【解決手段】開度調整手段Ａは，ダンパ本体１の側部にダンパ軸２の軸方向に所定量移動可能に配設されると共に該ダンパ軸２に相対回動不能に連結される操作部材４と，ダンパ本体１の側部に固定的に配設されるストッパ部材５と，このストッパ部材５及び操作部材４の何れか一方と他方にそれぞれ設けられた凹部５ｈ及び凸部４ｐを有しダンパ軸２の回動位置を複数段階に選択，固定可能な凹凸係合手段Ｅと，その凹凸係合手段Ｅの凹部５ｈ及び凸部４ｐの係合を維持する方向に操作部材４を付勢する戻しばねＳとを備える。【選択図】　　図２
2004036903.tif 000002
【特許請求の範囲】
【請求項１】
筒状をなし内部が流体通路（Ｐ）とされるダンパ本体（１）と，このダンパ本体（１）に回動可能に支持されて前記流体通路（Ｐ）を横切るダンパ軸（２，２′）と，このダンパ軸（２，２′）に固定され該ダンパ軸（２，２′）との一体回動により前記流体通路（Ｐ）の開度を可変とするダンパ羽根（３）と，そのダンパ羽根（３）を手動で開度調整するための開度調整手段（Ａ，Ａ′）とを備えた流量調整用ダンパ装置において，
前記開度調整手段（Ａ，Ａ′）は，前記ダンパ本体（１）の側部に前記ダンパ軸（２，２′）の軸方向に所定量移動可能に配設されると共に該ダンパ軸（２，２′）に相対回動不能に連結される操作部材（４，４′）と，この操作部材（４，４′）に対応して前記ダンパ本体（１）の側部に固定的に配設されるストッパ部材（５，５′）と，このストッパ部材（５，５′）及び前記操作部材（４，４′）の何れか一方と他方にそれぞれ設けられた凹部（５ｈ）及び凸部（４ｐ）を有しそれら凹部（５ｈ）及び凸部（４ｐ）の係合によりダンパ軸（２，２′）の回動位置を複数段階に選択，固定可能な凹凸係合手段（Ｅ）と，その凹部（５ｈ）及び凸部（４ｐ）の前記係合を維持する方向に前記操作部材（４，４′）を付勢する戻しばね（Ｓ）とを備え，
前記操作部材（４，４′）を前記戻しばね（Ｓ）の付勢力に抗して前記ダンパ軸（２，２′）の軸方向に押し又は引くことで前記凹凸係合手段（Ｅ）の係合状態を随時解除できるようにしたことを特徴とする，流量調整用ダンパ装置。
【請求項２】
前記操作部材（４）は，前記ダンパ本体（１）に軸方向摺動可能に支持した前記ダンパ軸（２）に一体に形成されて前記ダンパ本体（１）の外側方に延出しており，前記ダンパ本体（１）の内面と前記ダンパ羽根（３）との間には，前記操作部材（４）に対する前記押し又は引きに連動した前記ダンパ軸（２）及びダンパ羽根（３）の軸方向移動を許容する間隙（ｓ０　）が設けられることを特徴とする，請求項１に記載の流量調整用ダンパ装置。
【請求項３】
前記操作部材（４′）は，前記ダンパ軸（２′）とは別個に構成されて該ダンパ軸（２′）の延長軸線上に配置され，それら操作部材（４′）とダンパ軸（２′）との隣接端部相互が，該ダンパ軸（２′）の軸方向に相対摺動可能に且つ相対回動不能に嵌合されることを特徴とする，請求項１に記載の流量調整用ダンパ装置。
【請求項４】
前記ストッパ部材（５，５′）には，前記操作部材（４，４′）に設けた指示部（４ｐ）と協働して前記ダンパ軸（２，２′）の複数段階の回動位置を表示する表示部（５ｈ）が設けられることを特徴とする，請求項１，２又は３に記載の流量調整用ダンパ装置。
【発明の詳細な説明】
【０００１】
【発明の属する技術分野】
本発明は，筒状をなし内部が流体通路とされるダンパ本体と，このダンパ本体に回動可能に支持されて前記流体通路を横切るダンパ軸と，このダンパ軸に固定され該ダンパ軸との一体回動により前記流体通路の開度を可変とするダンパ羽根とを備えた流量調整用ダンパ装置に関する。
【０００２】
【従来の技術】
上記流量調整用ダンパ装置として従来では，ダンパ軸を，これに連動連結した電動モータにより回転駆動してダンパ羽根を任意の開度に調整するもの（モータ駆動式）や，ダンパ軸をウォームギヤ装置を介して手動で回転操作してダンパ羽根を任意の開度に調整するもの（ウォームギヤ式）や，ダンパ軸に連動連結した操作レバーの操作位置をネジ手段で固定してダンパ羽根を任意の開度に調整するもの（操作レバー式）等が知られている。
【０００３】
【発明が解決しようとする課題】
ところが上記何れの方式のものでも，その開度調整手段（電動モータ，ウォームギヤ装置，操作レバーとその操作位置固定用ネジ手段）が比較的広い設置空間を必要とするため，ダンパ本体周りの限られたスペース内でその開度調整手段に対するメンテナンスや組付，調整等のための作業空間を十分には確保できず，それだけ作業がやり辛く，作業能率を低下させる等の問題があり，またダンパ本体周りに断熱材を配備する場合に，操作部が大きな面積を占める上記開度調整手段は施工の障害となる等の問題もあった。
【０００４】
また上記何れの方式のものも，その開度調整手段（モータ，ウォームギヤ装置，操作レバーとその操作位置固定用ネジ手段）の構造が比較的複雑で製造コストが嵩む上，特に操作レバー式のものでは，調整操作が面倒であると共に振動等でネジ手段が緩んで調整位置が狂い易く，またネジ手段が締付，緩めの繰返しで耐久性を損なう等の問題もある。さらにモータ駆動式では，電源，配線，制御装置等の設備が特別に必要で設備コストが嵩む問題があり，また，モータ駆動式およびウォームギヤ式の何れのものも，装置の劣化，腐食等を考慮した定期的な維持管理を必要とするので，維持コストも嵩む等の問題がある。
【０００５】
本発明は，上記の事情に鑑み提案されたもので，従来の上記問題を一挙に解決できる，流量調整用ダンパ装置を提供することを目的としている。
【０００６】
【課題を解決するための手段】
前記目的を達成するために，請求項１の発明は，筒状をなし内部が流体通路とされるダンパ本体と，このダンパ本体に回動可能に支持されて前記流体通路を横切るダンパ軸と，このダンパ軸に固定され該ダンパ軸との一体回動により前記流体通路の開度を可変とするダンパ羽根と，そのダンパ羽根を手動で開度調整するための開度調整手段とを備えた流量調整用ダンパ装置において，前記開度調整手段は，前記ダンパ本体の側部に前記ダンパ軸の軸方向に所定量移動可能に配設されると共に該ダンパ軸に相対回動不能に連結される操作部材と，この操作部材に対応して前記ダンパ本体の側部に固定的に配設されるストッパ部材と，このストッパ部材及び前記操作部材の何れか一方と他方にそれぞれ設けられた凹部及び凸部を有しそれら凹部及び凸部の係合により前記ダンパ軸の回動位置を複数段階に選択，固定可能な凹凸係合手段と，その凹部及び凸部の前記係合を維持する方向に前記操作部材を付勢する戻しばねとを備え，前記操作部材を前記戻しばねの付勢力に抗して前記ダンパ軸の軸方向に押し又は引くことで前記凹凸係合手段の係合状態を随時解除できるようにしたことを特徴とする。
【０００７】
請求項１の上記特徴によれば，ダンパ羽根の開度調整に際しては，操作部材を手で戻しばねの付勢力に抗してダンパ軸の軸方向に押し又は引くことで，開度位置を段階的に設定する凹凸係合手段の係合状態を一時的に解除することができ，その解除状態で操作部材を手で回動操作して所望の開度位置を選択，設定し，その開度位置の設定後は，凹凸係合手段を戻しばねの付勢力で再び係合状態に戻すだけでよいから，全体として調整位置の設定が頗る容易であるばかりか，その設定後は調整位置を確実に固定できて，振動等に因る調整開度のずれ防止に有効である。しかも戻しばねと協働する上記凹凸係合手段の単なる凹凸係合で開度位置の設定がなされ，その設定構造が頗る単純であることから，装置の劣化，腐食等を考慮した定期的な維持管理の低コスト化が図られる。さらにダンパ軸を，それと同軸上の操作部材により手動で直に回転駆動できるようにしたことで，ダンパ羽根の開度調整手段の部品点数が低減されて該調整手段の構造を簡単且つ小型化できると共に電源，配線等の設備も不要となり，これにより，製造コストの節減が図られるばかりか，ダンパ本体周りの限られたスペース内でも開度調整手段に対するメンテナンスや組付，調整等のための作業空間を十分に確保可能となり，それだけ作業がやり辛くなり，且つ作業能率を向上させることができる。また，ダンパ本体周りに断熱材を配備する場合でも開度調整手段が施工の障害となる虞れは殆どない。
【０００８】
また請求項２の発明は，請求項１の上記特徴に加えて，前記操作部材が，前記ダンパ本体に軸方向摺動可能に支持した前記ダンパ軸に一体に形成されて前記ダンパ本体の外側方に延出しており，前記ダンパ本体の内面と前記ダンパ羽根との間には，前記操作部材に対する前記押し又は引きに連動する前記ダンパ軸及びダンパ羽根の軸方向移動を許容する間隙が設けられることを特徴としている。この特徴によれば，ダンパ軸と操作部材の一体化によりそれだけ部品点数が減り，コストが低減される。またその一体化によりダンパ軸（従ってダンパ羽根）が動いても，ダンパ羽根がダンパ本体に干渉しないから，操作部材の押し又は引き操作がスムーズに許容される。
【０００９】
また請求項３の発明は，請求項１の上記特徴に加えて，前記操作部材が，前記ダンパ軸とは別個に構成されて該ダンパ軸の延長軸線上に配置され，それら操作部材とダンパ軸との隣接端部相互が，該ダンパ軸の軸方向に相対摺動可能に且つ相対回動不能に嵌合されることを特徴としている。この特徴によれば，操作部材をダンパ軸と別部材としたことで，それだけ設計の自由度が増える。またその両者間の連動連結は上記嵌合により簡単に行なわれる。
【００１０】
また請求項４の発明は，請求項１〜３の何れかの上記特徴に加えて，前記ストッパ部材には，前記操作部材に設けた指示部と協働して前記ダンパ軸の複数段階の回動位置を表示する表示部が設けられることを特徴とし，この特徴によれば，簡単な構造で開度確認を容易且つ的確に行うことが可能となる。
【００１１】
【発明の実施の形態】
本発明の実施の形態を，添付図面に例示した本発明の実施例に基づいて以下に具体的に説明する。
【００１２】
添付図面において，図１〜図３は本発明の第１実施例を示すものであって，図１は流量調整用ダンパ装置の全体側面図，図２は図１の２−２線断面図，図３は，操作部材に対する押し込み操作状態を示す図２対応図である。また図４〜図６は本発明の第２実施例を示すものであって，図４は流量調整用ダンパ装置の全体側面図，図５は図４の５−５線断面図，図６は，操作部材に対する押し込み操作状態を示す図５対応図である。
【００１３】
先ず，第１実施例を示す図１〜３において，流量調整用ダンパ装置は，円筒状をなし内部が流体通路Ｐの一部とされるダンパ本体１と，このダンパ本体１に回動可能に支持されて流体通路Ｐを横切るダンパ軸２と，このダンパ軸２に固定され該ダンパ軸２との一体回動により流体通路Ｐを開閉し得るダンパ羽根３と，そのダンパ羽根３の開度を予め設定された複数段階に任意調整可能な開度調整手段Ａとを備えている。前記ダンパ本体１の上流側端部と下流側端部とは，それぞれ図示しないダクトに着脱可能に接続され，それらダクトとダンパ本体１とで一連の流体通路Ｐが形成される。
【００１４】
前記開度調整手段Ａは，ダンパ本体１の側部にダンパ軸２の軸方向に所定量移動可能に配設されると共に該ダンパ軸２に相対回動不能に連結される操作部材４と，この操作部材４に対応してダンパ本体１の側部に固定的に配設されるストッパ部材５と，このストッパ部材５及び操作部材４の何れか一方と他方にそれぞれ設けられた凹部５ｈ及び凸部４ｐを有しそれら凹部５ｈ及び凸部４ｐの係合によりダンパ軸２の回動位置を複数段階に選択，固定可能な凹凸係合手段Ｅと，その凹部５ｈ及び凸部４ｐの前記係合を維持する方向に操作部材４を付勢する戻しばねＳとを備えている。そして，前記操作部材４を戻しばねＳの付勢力に抗してダンパ軸２の軸方向に押し又は引く（図示例では押す）ことで，前記凹凸係合手段Ｅの係合状態を随時解除できるようにしている。
【００１５】
特にこの第１実施例では，ダンパ本体１にダンパ軸２がその軸方向に所定の小ストロークｓ０　だけ摺動可能に支持される。このダンパ軸２の一端は，該軸２と同一軸線上でダンパ本体１の外側方に長く延出しており，その延出部が前記操作部材４を構成している。
【００１６】
前記ストッパ部材５は，操作部材４の大部分を覆う中空枠体より構成されており，その先部枠５ａの正面側の外面は，平坦な操作面Ｃとされる。この先部枠５ａには，操作部材４の先端部が摺動可能に嵌挿され，該操作部材４の先端面には，工具等を係合させる係合凹部４ａが形成される。
【００１７】
前記操作部材４の中間部には係止片６の基部が固着され，その係止片６の先部は，該操作部材４の径方向外方に延び，その先端部には，前記凸部４ｐを構成する係合ピンが一体に設けられる。この凸部４ｐに対応する複数の前記凹部５ｈが前記先部枠５ａに，各々貫通孔として操作部材４の軸線周りに周方向等間隔おきに形成される。それら凹部５ｈの開口は前記操作面Ｃ上に現れ，後述するように設定開度の表示部として機能する。
【００１８】
前記操作部材４の基部外周にはサークリップ等の係止環７が係止され，この係止環７には，これに係合する座板８を介して前記戻しばねＳの一端が係合し，このばねＳの他端は，ストッパ部材５の基部枠５ｂに係合している。この基部枠５ｂの内部空間には，戻しばねＳ，係止環７，座板８等が収納されており，該戻しばねＳは，前記凸部４ｐが凹部ｈに係合する方向に操作部材４（従ってダンパ軸２）を常時付勢する。
【００１９】
ダンパ本体１の内面とダンパ羽根３との間には，操作部材４に対する前記押し操作に連動するダンパ軸２及びダンパ羽根３の軸方向移動を許容する間隙ｓ０　が設けられる。この間隙ｓ０　の特設により，操作部材４の押し操作に連動してダンパ軸２及びダンパ羽根３が軸方向に多少摺動しても，ダンパ羽根３がダンパ本体１に干渉する虞れはなくなり，該ダンパ軸２のスムーズな摺動が許容される。
【００２０】
ストッパ部材５の前記操作面Ｃには，操作部材４に設けた指示部としての前記係合ピン４ｐと協働してダンパ軸２の複数段階の回動位置を表示する表示部が設けられる。この表示部として図示例では，貫通孔からなる前記複数の凹部５ｈと，全開位置の凹部５ｈの近くに付される全開表示「Ｏ」と，全閉位置の凹部５ｈの近くに付される全閉表示「Ｓ」とが用いられる。
【００２１】
尚，図示はしないが，ダンパ本体１の内周面には，全開位置にあるダンパ羽根３の外周部と係合して該羽根３のそれ以上の回動を規制するストッパが突設される。
【００２２】
次に前記実施例の作用を説明する。図１，２は，ダンパ羽根３が全閉位置にある状態を示しており，この状態で，開度調整手段Ａにおける凹凸係合手段Ｅの突部４ｐと凹部ｈとの係合が戻しばねＳの弾発力により保持されており，その係合によりダンパ羽根３が全閉位置に確実に保持される。
【００２３】
ダンパ羽根３の開度調整に際しては，操作部材４を，それの先端の係合孔４ａに工具，コイン等を係合させて，該操作部材４を押込むようにする。これにより，図３に示すように，戻しばねＳの付勢力に抗してダンパ軸２が軸方向に押し込まれて，前記凹凸係合手段Ｅ（凸部４ｐと凹部５ｈ）の係合状態が一時的に解除され，その解除状態で操作部材４を回動操作することによりダンパ羽根３の所望の開度位置を選択，設定できる。その開度位置の設定後は，凹凸係合手段Ｅ（凸部４ｐと凹部５ｈ）を戻しばねＳの付勢力で再び係合状態に戻すようにすれば，その新たな設定開度にダンパ羽根３を確実に保持することができる。
【００２４】
尚，この新たな設定開度は，その設定開度に対応する凹部５ｈに係合した前記凸部４ｐの先端が該凹部５ｈの開口部を通して外部に現れることで，ストッパ部材５の操作面Ｃ上に表示される。
【００２５】
上記のような開度調整構成によれば，調整位置の設定が頗る容易であるばかりか，その設定後は調整位置を確実に固定できて，振動等に因る調整開度のずれ防止に有効である。しかも戻しばねＳと協働する上記凹凸係合手段Ｅの単なる凹凸係合で開度位置の設定がなされ，その設定構造が頗る単純であることから，装置の劣化，腐食等を考慮した定期的な維持管理の低コスト化が図られる。また本実施例では，操作部材４がダンパ軸２と一体化されるので，それだけ部品点数が削減され，コストが低減される。
【００２６】
次に図４〜図６を参照して本発明の第２実施例を説明する。この実施例では，ダンパ本体１にダンパ軸２′が軸方向摺動不能に且つ回動可能に支持され，このダンパ軸２′の一端部２ａは，該軸２′と同一軸線上でダンパ本体１の外側方に延出している。
【００２７】
ストッパ部材５′の先部枠５ａには，ダンパ軸２′とは別個に形成されて該ダンパ軸２′の延長軸線上に配設される軸状の操作部材４′が，軸受１０を介して軸方向摺動可能に嵌合，支持される。その操作部材４′とダンパ軸２′（前記一端部２ａ）との隣接端部相互は，該ダンパ軸２′の軸方向に相対摺動可能に且つ相対回動不能に嵌合され，その嵌合部は，本実施例では，操作部材４′又はダンパ軸２′の何れか一方の端部に設けた角軸部２ａｊと，その何れか他方に設けた角筒部４ｊとより構成される。
【００２８】
前記操作部材４′には，先の実施例と同様の構造・機能の係合片６，係止環７及び座板８が設けられ，該座板８とストッパ部材５の基部枠５ｂとの間に戻しばねＳが圧縮状態で介装される。この戻しばねＳの弾発力により操作部材４′はダンパ本体１から遠ざかる側（即ち後述する凸部４ｐと凹部５ｈとの係合方向）に付勢されるが，その付勢方向への操作部材４′の移動限界は，前記係合片６と先部枠５ａ（軸受１０）との係合により規制される。
【００２９】
また，ストッパ部材５′の操作面Ｃには，先の実施例と同様，貫通孔よりなる複数の凹部５ｈと，全開表示「Ｏ」及び全閉表示「Ｓ」とが設けられる。
【００３０】
尚，図示はしないが，この実施例においても，ダンパ本体１の内周面には，全開位置にあるダンパ羽根３の外周部と係合して該羽根３のそれ以上の回動を規制するストッパが突設される。
【００３１】
ダンパ羽根３の開度調整に際しては，操作部材４′を，それの先端の係合孔４ａに工具，コイン等を係合させて押込むようにする。これにより，図６に示すように，戻しばねＳの付勢力に抗して操作部材４′が軸方向に押し込まれて（このときダンパ軸２′の軸方向位置は不動），前記凹凸係合手段Ｅ（凸部４ｐと凹部５ｈ）の係合状態が一時的に解除され，その解除状態で操作部材４′を回動操作することによりダンパ羽根３の所望の開度位置を選択，設定できる。その開度位置の設定後は，凹凸係合手段Ｅ（凸部４ｐと凹部５ｈ）を戻しばねＳの付勢力で再び係合状態に戻すようにすれば，その新たな設定開度にダンパ羽根３を保持することができる。
【００３２】
かくして，この第２実施例でも，前記第１実施例と同様の作用効果が得られる。また特に第２実施例では，操作部材４′がダンパ軸２′とが別個に構成されるので，設計の自由度が高くなり，またそれら操作部材４′とダンパ軸２′との隣接端部相互が，該ダンパ軸２′の軸方向に相対摺動可能に且つ相対回動不能に嵌合されるため，その両者間の連動連結が簡単に行なわれる利点がある。
【００３３】
以上，本発明の実施例を詳述したが，本発明は前記実施例に限定されるものでなく，種々の設計変更を行うことができる。
【００３４】
例えば，前記実施例では，凹凸係合手段Ｅにおける凸部４ｐと凹部５ｈが，ダンパ羽根３の開度位置を表示するための指示部と表示部をそれぞれ兼ねる構造のものを示したが，本発明では，操作部材４，４′及びストッパ部材５，５′にそれぞれ専用の指示部及び表示部を設けるようにしてもよい。
【００３５】
【発明の効果】
以上のように請求項１の発明によれば，ダンパ軸を，それと同軸上の操作部材により手動で直に回転駆動できるようにしたので，ダンパ羽根の開度調整手段の部品点数が低減されて該調整手段の構造を簡単且つ小型化できると共に電源，配線等の設備も不要となり，従って，製造コストの節減に寄与し得るばかりか，ダンパ本体周りの限られたスペース内でも開度調整手段に対するメンテナンスや組付，調整等のための作業空間を十分に確保可能となり，それだけ作業がやり辛くなって作業能率を向上させることができ，またダンパ本体周りに断熱材を配備する場合でも開度調整手段が施工の障害となる虞れは殆どない。
【００３６】
また特に開度調整に際しては，操作部材を戻しばねの付勢力に抗してダンパ軸の軸方向に押し又は引くことで，開度位置を段階的に設定する凹凸係合手段の係合状態を一時的に解除し，その解除状態で操作部材を回動操作して開度位置を設定した後は，該凹凸係合手段を戻しばねの付勢力で再び係合状態に戻すだけでよいから，調整位置の設定作業が頗る容易であるばかりか，その設定位置を確実に固定できて，振動等に因る調整開度のずれ防止に有効である。しかも戻しばねと協働する上記凹凸係合手段の単なる凹凸係合で開度位置の設定がなされ，その設定構造が単純であることから，装置の劣化，腐食等を考慮した定期的な維持管理の低コスト化を図ることができる。
【００３７】
また特に請求項２の発明によれば，操作部材が，ダンパ軸に一体に形成されてダンパ本体の外側方に延出しており，ダンパ本体の内面とダンパ羽根との間には，操作部材に対する押し又は引きに連動するダンパ軸及びダンパ羽根の軸方向移動を許容する間隙が設けられるので，ダンパ軸と操作部材の一体化によりそれだけコストが低減され，またその一体化によってもダンパ羽根がダンパ本体に干渉しないから，操作部材の押し又は引き操作が無理なく許容される。
【００３８】
また特に請求項３の発明によれば，操作部材が，ダンパ軸とは別個に構成されて該ダンパ軸の延長軸線上に配置され，それら操作部材とダンパ軸との隣接端部相互が，該ダンパ軸の軸方向に相対摺動可能に且つ相対回動不能に嵌合されるので，操作部材をダンパ軸と別部材としたことで，それだけ設計の自由度が増え，またその両者間の連動連結を上記嵌合により簡単に行なうことができる。
【００３９】
また特に請求項４の発明によれば，ストッパ部材には，操作部材に設けた指示部と協働してダンパ軸の複数の回動位置を表示する表示部が設けられるので，簡単な構造で開度確認を容易且つ的確に行うことができる。
【図面の簡単な説明】
【図１】第１実施例に係る流量調整用ダンパ装置の全体側面図
【図２】図１の２−２線断面図
【図３】操作部材に対する押し込み操作状態を示す図２対応図
【図４】第２実施例に係る流量調整用ダンパ装置の全体側面図
【図５】図４の５−５線断面図
【図６】操作部材に対する押し込み操作状態を示す図５対応図
【符号の説明】
Ａ，Ａ′　開度調整手段
Ｅ　　凹凸係合手段
Ｐ　　流体通路
Ｓ　　戻しばね
ｓ０　　間隙
１　　ダンパ本体
２，２′　ダンパ軸
３　　ダンパ羽根
４，４′　操作部材
４ｐ　　凸部（指示部）
５，５′　ストッパ部材
５ｈ　　凹部（表示部）
【図１】
2004036903.tif 000003
【図２】
2004036903.tif 000004
【図３】
2004036903.tif 000005
【図４】
2004036903.tif 000006
【図５】
2004036903.tif 000007
【図６】
2004036903.tif 000008